(57)【要約】【課題】患者に対してストレスと苦痛を与えることなく快適な住空間の中の、自由な生活を行いながら、種々の癌の予防や治療を行う事が可能な住空間を提供する。【解決手段】癌を予防あるいは治療する住空間は、特定波長の電磁波を効率的に放射することにより、種々の癌の増殖を抑制する効果を備えている。【効果】特定波長の電磁波を種々の癌組織に効率的に放射することにより、癌の増殖を抑制する効果を備えている。つまり、癌細胞の細胞間期を抑制し、肥大化壊死やアポトーシスを促進し、更に、遊走や転移を抑制する事により、癌の増殖を抑制することができる。よって、遠赤外線を照射しない場合よりも、癌の発生と成長を抑制することができる。【選択図】図１
2007195759.tif 000002
【特許請求の範囲】
【請求項１】
癌の増殖を抑制する効果のある特定波長の電磁波を効率的に放射することが可能な癌を予防あるいは治療する住空間。
【請求項２】
前記電磁波が、７〜１２μｍをピークとする４〜２０μｍの波長の遠赤外線であることを特徴とする請求項１に記載される癌を予防あるいは治療する住空間。
【請求項３】
前記電磁波を放射する放射源の温度が、１５〜３０℃程度の快適な室温を維持し、且つ生体を快適温度以上に加熱しない事を特徴とする請求項１に記載される癌を予防あるいは治療する住空間。
【請求項４】
前記住空間の壁や天井(1)あるいは床(2)が、７〜１２μｍをピークとする４〜２０μｍの波長の遠赤外線を放射することが可能な遠赤外線セラミックスを含有する塗料が塗布されている事を特徴とする請求項１に記載される癌を予防あるいは治療する住空間。
【請求項５】
前記住空間の壁(2)や天井(1)あるいは床(4)が、７〜１２μｍをピークとする４〜２０μｍの波長の遠赤外線を放射することが可能な遠赤外線セラミックスを含有する石膏ボードや種々の板材が用いられている事を特徴とする請求項１に記載される癌を予防あるいは治療する住空間。
【請求項６】
前記住空間の壁(2)や天井(2)あるいは床(4)が、７〜１２μｍをピークとする４〜２０μｍの波長の遠赤外線を放射することが可能な遠赤外線セラミックスを含有あるいはコーティングした糸を用いて編んだカーテン、壁掛けあるいは絨毯などの織布が用いられている事を特徴とする請求項１に記載される癌を予防あるいは治療する住空間。
【請求項７】
前記住空間の窓あるいは天井(1)が、７〜１２μｍをピークとする４〜２０μｍの波長の遠赤外線を放射することが可能な遠赤外線セラミックスを含有あるいはコーティングしたガラスが用いられている事を特徴とする請求項１に記載される癌を予防あるいは治療する住空間。
【請求項８】
前記住空間の壁(2)や天井(1)あるいは床(4)が、７〜１２μｍをピークとする４〜２０μｍの波長の遠赤外線を放射することが可能な石材が用いられている事を特徴とする請求項１に記載される癌を予防あるいは治療する住空間。
【請求項９】
前記住空間の中に、７〜１２μｍをピークとする４〜２０μｍの波長の遠赤外線を放射することが可能な遠赤外線セラミックスを含有あるいはコーティングした暖房器具(5)を設置していることを特徴とする請求項１に記載される癌を予防あるいは治療する住空間。
【請求項１０】
前記住空間が、浴室である事を特徴とする請求項１に記載される癌を予防あるいは治療する住空間。
【請求項１１】
前記住空間が、トイレである事を特徴とする請求項１に記載される癌を予防あるいは治療する住空間。
【発明の詳細な説明】
【技術分野】
【０００１】
本発明は、癌を予防あるいは治療するための住空間に関する。さらに詳しくは、種々の癌の発生や増殖を抑制する効果を待った特性遠赤外線を放射する事が可能な浴室、トイレ等を含む部屋としての住空間に関する。
【背景技術】
【０００２】
従来から、遠赤外線を含む加熱装置を用いて身体を暖める事によって、早期に深部温度が高まり、加熱装置を停止した後も長く深部温度が維持され、血行が促進されていることが知られており、局所的に短時間で加温する事が可能な有効な加熱装置として利用されている。
しかし、遠赤外線の深部温度を高め、維持する機構は研究されておらず、未だに明らかにはされていない。特に、深部温度を高め、維持するために必要な波長帯や温度帯、あるいはそれらを放射する放射体、さらにはそれらの遠赤外線が生体の種々の疾患に対する影響についてはほとんど知られていないために、疾患の治療や予防機器として利用する事ができなかった。
【０００３】
かかる問題を解決する技術として、高温で照射するサウナと癌治療器が開発された（特許文献１および２参照）。特許文献１の技術では、サウナとして外部から身体全体を高温に維持することにより、深部体温の上昇を計り、汗腺を刺激し、血行を昂進して、新陳代謝を促進させる事により、身体を健康な状態に保つことが可能なる健康器具を開発している。特許文献２の技術では、ハイパーサーミアの熱源として遠赤外線を用いて、癌組織が正常組織よりも温度に弱いことを利用して、癌組織を３８〜４２℃まで高め、癌組織、癌細胞に特異的にアポトーシスを誘導し、死滅させる治療器具を開発している。
【特許文献１】特開２００３−２９０３１２号公報
【特許文献２】特開２００１−３１４５１９号公報
【０００４】
しかるに、特許文献１の技術は、身体の新陳代謝を昂進し、健康的な状態を維持する事が可能であるが、特定の疾患に、どのような機構で予防および治療効果をもたらすかは不明のため、特定の疾患の治療予防に利用できない。また、特許文献２の技術は、癌細胞と正常細胞の温度感受性の違いを利用して、癌治療を行っているが、かなりの高温のため、正常細胞への障害も大きく、治療によりヒートショックプロテインなどのストレスに対抗する因子が発現し、治療効果を制限している。更に、患者に対しても、熱いお風呂に長時間が入るのと同様のストレスがあり、患者に対してかなりの苦痛を与えているものと考えられる。
【発明の開示】
【発明が解決しようとする課題】
【０００５】
本発明は上記事情に鑑み、患者に対してストレスと苦痛を与えることなく快適な住空間の中の、自由な生活を行いながら、種々の癌の予防や治療を行う事が可能な住空間を提供することを目的とする。
【課題を解決するための手段】
【０００６】
本発明の癌を予防あるいは治療する住空間は、特定波長の電磁波を効率的に放射することにより、種々の癌の増殖を抑制する効果を備えていることを特徴とする。
【０００７】
本発明の第２の発明にかかる住空間は、７〜１２μｍをピークとする４〜２０μｍの波長の遠赤外線を低温下で効率的に放射することにより、種々の癌の増殖を抑制する効果を備えていることを特徴とする。
【０００８】
本発明の第３の発明にかかる住空間は、前記電磁波を放射する放射源の温度が、１５〜３０℃程度の快適な室温を維持し、且つ生体を快適温度以上に加熱しない事により、種々の癌の増殖を抑制する効果を備えていることを特徴とする。
【０００９】
本発明の第４の発明にかかる住空間は、７〜１２μｍをピークとする４〜２０μｍの波長の遠赤外線を低温下で効率的に放射することが可能な遠赤外線セラミックスを含有する塗料を壁２や天井１あるいは床４に塗布する事により、種々の癌の増殖を抑制する効果を備えていることを特徴とする。
【００１０】
本発明の第５の発明にかかる住空間は、７〜１２μｍをピークとする４〜２０μｍの波長の遠赤外線を低温下で効率的に放射することが可能な遠赤外線セラミックスを含有する石膏ボードや種々の板材を壁２や天井１あるいは床４に用いる事により、種々の癌の増殖を抑制する効果を備えていることを特徴とする。
【００１１】
本発明の第６の発明にかかる住空間は、７〜１２μｍをピークとする４〜２０μｍの波長の遠赤外線を低温下で効率的に放射することが可能な遠赤外線セラミックスを含有あるいはコーティングした糸を用いて編んだ織布が、壁２や天井１あるいは床４のカーテンや壁掛け、絨毯などに用いられている事を特徴とする。
【００１２】
本発明の第７の発明にかかる住空間は、７〜１２μｍをピークとする４〜２０μｍの波長の遠赤外線を低温下で効率的に放射することが可能な遠赤外線セラミックスを含有あるいはコーティングしたガラスが用いられている事を特徴とする。
【００１３】
本発明の第８の発明にかかる住空間は、７〜１２μｍをピークとする４〜２０μｍの波長の遠赤外線を低温下で効率的に放射することが可能な石材が用いられている事を特徴とする。
【００１４】
本発明の第９の発明にかかる住空間は、７〜１２μｍをピークとする４〜２０μｍの波長の遠赤外線を効率的に放射する遠赤外線セラミックスを含有あるいはコーティングした暖房誰具５を設置していることを特徴とする。
【００１５】
本発明の第１０の発明にかかる住空間は、７〜１２μｍをピークとする４〜２０μｍの波長の遠赤外線を低温下で効率的に放射することが可能な浴室である事を特徴とする。
【００１６】
本発明の第１１の発明にかかる住空間は、７〜１２μｍをピークとする４〜２０μｍの波長の遠赤外線を低温下で勒率的に放射することが可能なトイレである事を特徴とする。
【発明の効果】
【００１７】
本発明によれば、特定波長の電磁波を種々の癌組織に効率的に放射することにより、癌の増殖を抑制する効果を備えている。つまり、癌細胞の細胞周期を抑制し、肥大化壊死やアポトーシスを促進し、更に、遊走や転移を抑制する事により、癌の増殖を抑制することができる。よって、遠赤外線を照射しない場合よりも、癌の発生と成長を抑制することができる。
【００１８】
本発明の第２の発明によれば、７〜１２μｍをピークとする４〜２０μｍの波長の遠赤外線を種々の癌組織に低温下で効率的に放射することにより、癌の増殖を抑制する効果を備えている。つまり、癌細胞の細胞周期を抑制し、肥大化壊死やアポトーシスを促進し、更に、遊走や転移を抑制する事により、癌の増殖を抑制することができる。よって、遠赤外線を照射しない場合よりも、癌の発生と増殖を抑制することができる。
【００１９】
本発明の第３の発明によれば、電磁波を効率的に放射する放射源が、１５〜３０℃程度の快適な室温を維持し、且つ生体を快適温度以上に加熱しないため、正常細胞への悪影響を小さく、またストレスタンパクの発現による電磁波の治療効果の抑制もなく、癌の発生と増殖を効率的に抑制することができる。
【００２０】
本発明の第４の発明によれば、７〜１２μｍをピークとする４〜２０μｍの波長の遠赤外線を低温下で効率的に放射することが可能な遠赤外線セラミックスを含有する塗料を簡単に壁や天井あるいは床に塗布する事ができるため、簡単に安価で特性遠赤外線環境を整えることができ容易に癌の増殖を抑制することができる。しかも、低温で効率的に塗料から遠赤外線を照射するだけであるから、患者に苦痛を与えることなく、長時間治療や予防を行う事ができる。
【００２１】
本発明の第５の発明によれば、７〜１２μｍをピークとする４〜２０μｍの波長の遠赤外線を低温下で効率的に放射することが可能な遠赤外線セラミックスを含有する石膏ボードや種々の板材を壁や天井あるいは床に用いる事により、簡単に効率よく特性遠赤外線を放射する壁や天井、床を作ることができ、種々の癌の増殖を抑制する事ができる。また、機密性が高く、保温効果も高い。しかも、低温で効率的に壁や天井、床から遠赤外線を照射するだけであるから、患者に苦痛を与えることなく、長時間治療や予防を行う事ができる。
【００２２】
本発明の第６の発明によれば、７〜１２μｍをピークとする４〜２０μｍの波長の遠赤外線を低温下で効率的に放射することが可能な遠赤外線セラミックスを含有あるいはコーティングした糸を用いて編んだ織布、から簡単に効率よく特性遠赤外線を放射するカーテンや壁掛け、絨毯などを作ることができ、種々の癌の増殖を抑制する事ができる。しかも、低温で効率的にカーテンや壁掛け、絨毯などから遠赤外線を照射するだけであるから、患者に苦痛を与えることなく、長時間治療や予防を行う事ができる。
【００２３】
本発明の第７の発明によれば、７〜１２μｍをピークとする４〜２０μｍの波長の遠赤外線を低温下で効率的に放射することが可能な遠赤外線セラミックスを含有あるいはコーティングしたガラスを窓ガラスなどに利用できるため、外部から光が当たると特に効率よく特性遠赤外線を輻射し、効率よく種々の癌の増殖を抑制することができる。
【００２４】
本発明の第８の発明によれば、７〜１２μｍをピークとする４〜２０μｍの波長の遠赤外線を低温下で効率的に放射することが可能な石材が、床材や壁材などに用いられているから簡単に効率よく特性遠赤外線を放射する床や壁などを作ることができ、種々の癌の増殖を抑制する事ができる。しかも、低温で効率的に床や壁などから遠赤外線を照射するだけであるから、患者に苦痛を与えることなく、長時間治療や予防を行う事ができる。
【００２５】
本発明の第９の発明によれば、７〜１２μｍをピークとする４〜２０μｍの波長の遠赤外線を効率的に放射することが可能な、表面に遠赤外線セラミックスを含有あるいはコーティングした暖房器具を設置することにより、これら以外の波長が引き起こす副作用はなく、種々の癌の増殖を抑制する事ができる。しかも、比熱効果が高く、深夜料金の電気を利用して、セラミックスを温めておき、日中利用するとか、あるいは２４時間適温で利用することが可能となる。しかも、効率的に直接暖房器具からとその壁や床、天井などからの反射によって更に効率的に特性遠赤外線を照射する事により、患癌抑制効果を高める事ができる。
【００２６】
本発明の第１０の発明によれば、７〜１２μｍをピークとする４〜２０μｍの波長の遠赤外線を効率的に放射することが可能な住空間が浴室であるので、表面に遠赤外線セラミックスを含有あるいはコーティングした壁や床のタイルや浴槽などをお湯で暖めることにより、より有効的に特性遠赤外線を照射し、種々の癌の増殖を抑制する事ができる。しかも、比熱効果が高く、深夜料金の電気を利用して、セラミックスを温めておき、日中利用するとか、あるいは２４時間適温で利用することが可能となる。しかも、効率的に湯からとその壁や床、天井などからの反射によって更に効率的に特性遠赤外線を照射する事により、患癌抑制効果を高める事ができる。
【００２７】
本発明の第１１の発明によれば、７〜１２μｍをピークとする４〜２０μｍの波長の遠赤外線を効率的に放射することが可能な住空間がトイレであるので、表面に遠赤外線セラミックスを含有あるいはコーティングした壁や床のタイルや石材などから、より有効的に特性遠赤外線を照射し、種々の癌の増殖を抑制する事ができる。しかも、比熱効果が高く、深夜料金の電気を利用して、セラミックスを温めておき、日中利用するとか、あるいは２４時間適温で利用することが可能となる。しかも、効率的にその壁や床、天井などからの反射によって更に効率的に特性遠赤外線を照射する事により、患癌抑制効果を高める事ができる。
【発明を実施するための最良の形態】
【００２８】
つぎに、本発明の実施形態を図面に基づき説明する。
本発明の住空間は、電磁波、特に７〜１２μｍをピークとする４〜２０μｍの波長の特性遠赤外線を低温下で効率的に放射することが可能な遠赤外線セラミックスを含有する塗料や石膏ボード、板材や織布、ガラス、石材を、図１に示すように、天井１、壁２、窓３、床４、ドア６に設け、さらに暖房器具５を設置する。本発明の住空間は、浴室やトイレなどを含む居住空間を含む。
【００２９】
まず、この発明に到った経緯を説明する。
遠赤外線は、野菜や果物、食品等の保存に有効であることが知られている。また、遠赤外線ヒータで加熱すると身体の深部の温度が短期間で上昇し、加熱を中断しても体温が低下しにくい事が知られている。この効果は、温熱効果として知られ、汗腺の活性化や血行の昂進等の効果に繋がり、健康を維持するのに有効であろうと考えられている。しかし、これらの効果は、どの波長のどれぐらいの放射強度の遠赤外線が有効であり、どの様な機構を介して、どの組織や細胞に作用しているかについては、全く知られていない。これらの研究を行うためには、正確な波長を的確に細胞や動物個体に照射するための装置が必要である。そのために、我々は７〜１２μｍをピークとする４〜２０μｍの波長の特性遠赤外線を低温下で効率的に放射することが可能な遠赤外線セラミックスとＰＴＣヒータを用いて、特性遠赤外線ＣＯ２インキュベータおよび動物飼育装置を開発して、培養細胞や動物個体に対する特性遠赤外線の効果を研究してきた。
【００３０】
培養癌細胞に関する研究から、７〜１２μｍをピークとする４〜２０μｍの波長の特性遠赤外線は、３７℃、湿度１００％、５％ＣＯ２ｉｎＡｉｒの条件下で、舌癌、歯肉癌、外陰部癌、肺癌、乳癌、肝臓癌の６種類の癌細胞の増殖を抑制する事が明らかになった。その機構は、細胞周期の遅延と一部肥大化壊死を引き起こすことによって細胞の増殖が阻害されていることが明らかになった。また、免疫不全マウスに移植した癌細胞では、担癌マウスの作成に成功した全ての細胞である歯肉癌細胞、外陰部癌細胞、肝臓癌細胞において、特性遠赤外線照射で癌の増殖を抑制することが明らかになった。この効果は、７〜１２μｍをピークとする４〜２０μｍの波長の特性遠赤外線を低温下で効率的に放射することが可能な遠赤外線セラミックスを利用した、図２に示す動物飼育装置の環境がもたらした効果と考えられる。図２に示す動物飼育装置は、特性遠赤外線を照射する遠赤外線セラミックスを周囲に配設している。そこで、上記の７〜１２μｍをピークとする４〜２０μｍの波長の遠赤外線を低温下で効率的に放射することが可能な遠赤外線セラミックスを用いて、塗料や石膏ボード、板材や織布、ガラス、石材を個々に開発して、天井、壁、窓、床、暖房器具として総合的に設置した浴室やトイレなどを含む住空間を発明するに至った。
【００３１】
遠赤外線放射セラミックスとしては、例えば、粘土１００重量部に対して、以下の成分を混合して混練し、成形して、９５０℃で１時間焼成して製作したものを使用することができる。
酸化チタン…………１重量部
酸化亜鉛……………１重量部
二酸化マンガン……２重量部
酸化鉄………………３重量部
リグニン…………１５重量部
木粉………………１５重量部
水…………………３０重量部
ただし、粘土は、６９．９重量％のＳｉＯ２と、１６．８重量％のＡｌ２Ｏ３と、１．２１重量％のＦｅ２Ｏ３と、０．３１重量％のＴｉＯ２と、０．３１重量％のＣａＯと、０．１６重量％のＭｇＯと、２．７６重量％のＫ２Ｏと、０．８９重量％のＮａ２Ｏとを含有する。
【００３２】
焼成して所定の形状に焼結された遠赤外線放射セラミックスは、図３に示すように、板状に焼結する状態で住空間に固定され、あるいは、粉砕して粉末状に加工して、図４に示すように、バインダーで付着される。板状に焼結される遠赤外線放射セラミックスは、床、壁、天井に固定され、あるいはドアの表面板に使用される。粉末状の遠赤外線放射セラミックスは、バインダーに混練してペースト状のセラミックス塗料とし、これを壁、天井、ドア、カーテン、ガラス等に塗布し、乾燥させる。図５は、セラミックス塗料を塗布してなる遠赤外線カーテンと遠赤外線ガラスを示している。
【００３３】
ガラスに塗布されるセラミックス塗料は、無数の貫通孔を設けてシースルーとして、透光性のある状態にできる。セラミックス塗料は、粉末状の遠赤外線放射セラミックスに加えて、粉末状のカーボンや黒色等の暗色顔料を添加することができる。カーボンには、木炭や竹炭を粉末状に粉砕したもの、あるいは微粉末のカーボン粒子である。暗色顔料はベンガラ等が使用できる。暗色顔料の添加量は、遠赤外線放射セラミックス１００重量部に対して、たとえば３０重量％以下、好ましくは２０重量％以下、さらに好ましくは１０重量％以下とする。カーボン等の暗色顔料を添加している遠赤外線放射セラミックスは、遠赤外線の収効率を高くできる。
【００３４】
図６に示すように、床に遠赤外線放射セラミックスを固定する住空間は、図７に示すように、遠赤外線放射セラミックスを加温して床暖房として最適な住空間にできる。床暖房で加温され遠赤外線放射セラミックスは、有効に特性遠赤外線を放射する。床の遠赤外線放射セラミックスは、特性遠赤外線を放射する天然石とする。ただ、床の表面又は内面に、セラミックス塗料を塗布して、床を遠赤外線放射セラミックスとして床暖房することもできる。
【００３５】
また、図８に示すように、室内に板状の遠赤外線放射セラミックスを配設して、この遠赤外線放射セラミックスを、図９に示すように、背面から加温して遠赤外線暖房器具とすることもできる。また、住空間は、壁面に遠赤外線放射セラミックスを固定して、これを内面から加温して壁暖房とすることもできる。
【００３６】
さらに、図１０に示す浴室も、浴槽を湯で加温し、さらに床を遠赤外線放射セラミックスとして床暖房として、特性遠赤外線をより有効に放射することもできる。浴室の床暖房は、浴槽から排水する温水で加温し、浴室から排水する温水で加温することができる。
【００３７】
遠赤外線照射セラミックスを４０℃に加温した場合、この遠赤外線照射セラミックスからは、図１１に示すようなスペクトルを有する遠赤外線が放射される。この図に示すように、放射される遠赤外線のスペクトルは、約７〜１２μｍにピークを有するものである。この波長のスペクトルは、育生光線と呼ばれる波長帯であり、植物などの成長に有効であるが、この波長の強度が強い場合には、細胞増殖抑制効果、および細胞分化促進効果が強くなると予想される。
【００３８】
なお、上記遠赤外線放射セラミックスは、エネルギーを与えられることによって遠赤外線を放射するのであるが、他の遠赤外線放射源から遠赤外線を照射された場合には、照射された遠赤外線を吸収し、加熱された場合とほぼ同じ放射スペクトルで特性遠赤外線を放射することができる。
【００３９】
エネルギーを与える手段は、夏場は周囲の上昇した気温から与えられる。この遠赤外線セラミックスは比熱効果が高いと考えられ、その結果、過剰な温度のエネルギーとして蓄積できるのではないかと考えられる。蓄えられた温度に合わせて、温度の低い住環境の内部に存在する対象物に対して特性遠赤外線を放射し、余分な遠赤外線は反対側の遠赤外線に吸収され、再度蓄えられる。外部へのエネルギーの流出は非常に少なく、強いエネルギーを受けなくても特性遠赤外線の照射強度を維持することができる。ＣＯ２インキュベータの場合、僅か１℃の温度上昇で、２４時間３７℃を維持している。冬場では、外気温が低いために低温であるが、小型の暖房器具を設置することにより、温度を維持する事ができる。特に、暖房器具はどのようなものでも良いが、遠赤外線セラミックを用いた暖房器具であれば、不要な波長の副作用を完全に除去する事が可能である。
【００４０】
上記のごとき住環境は、機密性が高いほど効果的に構築することができる。中でも、浴室は機密性が高く、ほとんどタイルとガラスに囲まれているため、遠赤外線の流出はほとんどない。しかも、湯船のお湯が熱源となり、高温度状態を維持しているため、放射強度の高い特性遠赤外線を輪射する事が可能となる。入浴時間は、部屋に滞在する時間に比べて短いが、放射強度が高い分だけ特性遠赤外線の癌抑制効果は強いものと考えられる。また、トイレも小さい空間で気密性が高いため、特性遠赤外線の放射強度は比較的高いものと考えられる。
【００４１】
住空間としての部屋では、比較的機密性は低い。そのため、特性遠赤外線セラミックスを含有した塗料や石膏ボード、板材や織布、ガラス、石材等をできるだけ駆使して、デッドスペースを減らし、効率よく特性遠赤外線が照射可能な構造とする。
【実施例１】
【００４２】
［試験例１：特性遠赤外線照射マウスの血液試験］
歯肉癌細胞移植後３０日目のマウスの血中カテコールアミン量の試験結果を図１２に示した。この図から、アドレナリンとドーパミンが特性遠赤外線照射によって上昇することが明らかになった。このことは、交感神経が優位になっており、病気などに対する抵抗性が高まっていることを示している。また、白血球中のリンパ球と顆粒球の比率を図１３に示した。この結果は、交感神経の昂進を受けて、顆粒球の比率が上昇し、リンパ球の比率が減少していることを示している。このように、特性遠赤外線を全身照射すると、交感神経が昂進して、血中カテコールアミンが増加し、顆粒球増え、リンパ球が減少することが明らかになった。このことは、癌などの疾患を有している際に、特性遠赤外線はその疾患に対抗するように自律神経と免疫系を活性化させ、疾患に対する抵抗性を昂進させる働きがあるものと考えられる。マウスの飼育室は、図２に示すように周囲を特性遠赤外線を照射する遠赤外線放射セラミックスとして、遠赤外線放射セラミックスの温度を２５℃とする。遠赤外線放射セラミックスは、４〜２０μｍの波長領域の遠赤外線の照射効率を、理想黒体に対して約９７％以上とするものを使用する。
【実施例２】
【００４３】
［試験例２：特性遠赤外線照射外陰部癌細胞移植マウスの癌増殖試験］
実験には、造腫瘍性を考慮して、Ａ４３１癌細胞の移植には、６〜８週齢、雄のＣｒ１ｊ：ＣＤ１−Ｆｏｘｎ１ヌードマウス（日本チャールス・リバー、横浜）を用いた。マウスの飼育は、特性遠赤外線の透過性を考慮し、プラスチック製ゲージ内で行い、放射線滅菌固形飼料（オリエンタル酵母工業、東京）および滅菌水を常時与えた。５０μｇの高濃度マトリゲル（Ｂｅｃｔｏｎ  Ｄｉｃｋｉｎｓｏｎ  Ｌａｂｗａｒｅ、ＭＡ、ＵＳＡ）含有の１００μｌＰＢＳに懸濁した１×１０６個の癌細胞をマウス背部皮下に移植した。移植直後よりマウスを特性遠赤外線照射群（以下ＦＩＲ群と略記）と非照射群（以下コントロール群と略記）に分けた。照射は、２４時間連続照射で３０日間行った。実験期間中は、５日間隔で腫瘍の長径と短径を測定し、下記の式にて換算腫瘍体積を算出した。
腫瘍体積＝（長径）×（短径）÷２
【００４４】
腫瘍移植後３０日目にコントロール群およびＦＩＲ群マウスを屠殺し、腫瘍組織のみを摘出し４％パラホルムアルデヒド／ＰＢＳで４℃にて４時間固定した。その後、エタノールにて脱水し、パラフィン包埋後、４μｍの組織切片を作製した。脱パラフィン後、室温２０分間５％ヤギまたはウサギ正常血清にてブロッキングを行った。１％牛血清アルブミン（以下ＢＳＡと略記する）を含むＰＢＳで１：５０に希釈したウサギ抗ヒトＭＭＰ−１抗体（Ｌａｂ  Ｖｉｓｉｏｎ、ＣＡ、ＵＳＡ）、ヤギ抗ヒトＭＭＰ−９抗体（Ｓａｎｔａ  Ｃｒｕｚ、ＣＡ、ＵＳＡ）、ウサギ抗ヒトＭＭＰ−１０抗体（Ｌａｂ  Ｖｉｓｉｏｎ）、ウサギ抗ヒトＭＭＰ−１３抗体（Ｌａｂ  Ｖｉｓｉｏｎ）およびヒト特異抗体としてマウス抗ヒトｃｙｔｏｋｅｒａｔｉｎ１０抗体（ＥＸＩＢＯ、Ｖｅｓｔｅｃｕ  Ｐｒａｈｙ、Ｃｚｅｃｈ  Ｒｅｐｕｂｌｉｃ）を一次抗体として、室温で１時間反応させた。ＰＢＳで洗浄後、１％ＢＳＡを含むＰＢＳで１：４００に希釈したＦＩＴＣ標識抗マウス抗体（Ｓａｎｔａ  Ｃｒｕｚ）、およびｒｈｏｄａｍｉｎｅ標識抗ラビット抗体（Ｓｉｇｍａ）、ｒｈｏｄａｍｉｎｅ標識抗ヤギ抗体（Ｓａｎｔａ  Ｃｒｕｚ）を用いた。観察は、蛍光顕微鏡（Ｏｌｙｍｐｕｓ  ＢＸ５１、Ｔｏｋｙｏ、Ｊａｐａｎ）を用いて行った。得られたデータは平均値±ＳＤで表現し、Ｓｔｕｄｅｎｔ’ｓ  ｔ−ｔｅｓｔまたは、Ｍａｎｎ−Ｗｈｉｔｎｅｙ  Ｕ−ｔｅｓｔにより有意差検定を行い、ｐ＜０．０５を有意差ありとした。
【００４５】
移値後３０日目の平均的な移植癌を有するヌードマウスの状態を図１４に示した。これらのヌードマウスの癌組織の計測値をやはり図１５に示した。以下の図において、Ｃｏｎｔｒｏｌは遠赤外線を照射していない条件で飼育したものを示しており、ＦＩＲは遠赤外線を照射した条件で飼育したものを示している。癌組織を計測した結果、移値後２０日目より、有意に遠赤外線照射群の癌の増殖が抑制され、移値後２５、３０日目と癌組織の大きさの違いが顕著に見られるようになった。移植後３０日目の光学顕微鏡写真を図１６に示した。Ｃｏｎｔｒｏｌ群では癌組織は、筋組織内に入り込み、活発に増殖していた。この結果は、癌組織が筋組織内に転移していることを示している。一方、ＦＩＲ群は、癌組織の周辺は結合組織による帯状の被包化が進み、内部への血管の進入が抑制され、癌細胞の増殖も抑制されていた。更に、癌の転移の指標であるコラーゲンやゼラチンの分解する酵素（Ｍａｔｒｉｘ  Ｍｅｔａｌｏ  Ｐｒｏｔｅｉｎａｓｅ）のＭＭＰ−１、９、１０、１３のｍＲＮＡの発現量を調べた結果、図１７に示すように、ＭＭＰ−１と１３が有意に抑制されていることが明らかになった。また、癌組織中に存在するＭＭＰ−１、９、１０、１３を免疫染色法にて染色し、観察すると、図１８と図１９に示すように、ＭＭＰ−１は局所的に強く染色される部分が特性遠赤外線によって抑制され、ＭＭＰ−９、１０、１３では、癌組織の基質全般に強く染色されているが、特性遠赤外線によって明らかに抑制されていた。
以上の結果から、特性遠赤外線は、移植外陰部癌組織のＭＭＰ−１、９、１０、１３の発現を抑制する事により、転移を抑制し、結果として癌の増殖を阻害したと考えられる。
【実施例３】
【００４６】
［試験例３：遠赤外線照射歯肉癌細胞移植マウスの癌増殖試験］
実験には、造腫瘍性を考慮して、Ｓａ３癌細胞の移植には、４〜５週齢、雄のＣＢ１７／Ｉｃｒ−Ｐｒｋｄｃ／Ｃｒ１Ｃｒ１ｊ  ＳＣＩＤマウス（日本チャールス・リバー、横浜）を用いた。マウスの飼育は、特性遠赤外線の透過性を考慮し、プラスチック製ゲージ内で行い、放射線滅菌固形飼料（オリエンタル酵母工業、東京）および滅菌水を常時与えた。５０μｇの高濃度マトリゲル（Ｂｅｃｔｏｎ  Ｄｉｃｋｉｎｓｏｎ  Ｌａｂｗａｒｅ、ＭＡ、ＵＳＡ）含有の１００μｌＰＢＳに懸濁した１×１０６個の癌細胞をマウス背部皮下に移植した。移植直後よりマウスを特性遠赤外線照射群（以下ＦＩＲ群と略記）と非照射群（以下コントロール群と略記）に分けた。照射は、２４時間連続照射で３０日間行った。実験期間中は、５日間隔で腫瘍の長径と短径を測定し、下記の式にて換算腫瘍体積を算出した。
腫瘍体積＝（長径）×（短径）÷２
【００４７】
腫瘍移植後３０日目にコントロール群およびＦＩＲ群マウスを屠殺し、腫瘍組織のみを摘出し４％パラホルムアルデヒド／ＰＢＳで４℃にて４時間固定した。その後、エタノールにて脱水し、パラフィン包埋後、４μｍの組織切片を作製した。脱パラフィン後、常法にてへマトキシン−エオジン染色を行った。得られたデータは平均値±ＳＤで表現し、Ｓｔｕｄｅｎｔ’ｓ  ｔ−ｔｅｓｔまたは、Ｍａｎｎ−Ｗｈｉｔｎｅｙ  Ｕ−ｔｅｓｔにより有意差検定を行い、ｐ＜０．０５を有意差ありとした。
【００４８】
移植後３０日目の平均的な移植癌を有するスキッドマウスの状態を図２０に示した。これらのヌードマウスの癌組織の計測値をやはり図２１に示した。以下の図において、Ｃｏｎｔｒｏｌは遠赤外線を照射していない条件で飼育したものを示しており、ＦＩＲは遠赤外線を照射した条件で飼育したものを示している。癌組織を計測した結果、移植後１５日目より、有意に遠赤外線照射群の癌の増殖が抑制され、移値後２０、２５、３０日目と癌組織の大きさの違いが顕著に見られるようになった。計測データの中でも特に転移能が高い癌組織に見られる多峰性の癌に着目して、二峰性以上の癌の数を計測した結果を図２２に示した。特性遠赤外線照射により、明らかに二峰性以上の癌組織の数が減少していた。また、移値後３０日目の光学顕微鏡写真を図２３に示した。Ｃｏｎｔｒｏｌ群では癌組織は、宿主の結合組織内（間質）に入り込み、活発に増殖していた。全体像は実質と間質が入り交じった、浸潤、転移能の高い癌組織である事を示している。一方、ＦＩＲ群は、癌組織の周辺は染色性の弱い、疎像な癌組織を示し、間質に取り囲まれたような像を示した。更に内部は、死細胞像が見られ、アポトーシスの検出を行うとこれらの死細胞はアポトーシスによるものであることが明らかになった。本研究では、特性遠赤外線はＭＭＰを介さない細胞の遊走や浸潤、癌組織の形態変化などを抑制し、更にアポトーシスを誘導することにより、癌の増殖を抑制する事が明らかになった。
以上の結果から、特性遠赤外線は、浸潤転移を抑制し、アポトーシスを誘導することにより、遠赤外線を照射しない場合に比べて外陰部癌だけでなく、歯肉癌の増殖をも抑制することが明らかになった。
【００４９】
上記の実験結果をまとめると、特性遠赤外線は、移植外陰部癌組織のＭＭＰ−１、９、１０、１３の発現を抑制する事により、転移を抑制し、結果として癌の増殖を阻害した。また、移植歯肉癌に対しては、特性遠赤外線は浸潤転移を抑制しアポトーシスを誘導することにより、癌の増殖を抑制した。現在行っている肝臓癌についても、有意に癌の増殖を抑制することが明らかになりつつある。これらの環境は、温度は２３．５〜２８．４℃とかなり低く、決してハイパーサーミアのような高温による温熱療法と同様の作用によるものではない。この結果は、これらの低温にて７〜１２μｍをピークとする４〜２０μｍの波長の遠赤外線を効率的に放射することにより、皮下にある癌組織に直接作用して増殖を抑制する事が可能であり、低温の癌治療の有効性を示している。本来は、遠赤外線の到達深度は数μｍと考えられているが、実際にはかなり深い位置に存在する癌組織にも有効であることを示している。
【図面の簡単な説明】
【００５０】
【図１】本発明の一実施例にかかる住空間の総合概略説明図である。
【図２】特性遠赤外線を照射する動物飼育装置の一例を示す斜視図である。
【図３】特性遠赤外線天然石壁材の一例を示す概略図である。
【図４】セラミックス塗料を塗布している特性遠赤外線石膏ボードの一例を示す斜視図である。
【図５】特性遠赤外線カーテン及び特性遠赤外線ガラスの一例を示す概略図である。
【図６】特性遠赤外線床暖の一例を示す概略図である。
【図７】特性遠赤外線床暖の一例を示す概略構成図である。
【図８】特性遠赤外線暖房器具を示す概略図である。
【図９】特性遠赤外線暖房器具を示す概略構成図である。
【図１０】特性遠赤外線風呂、タイル、バスユニットを示す概略図である。
【図１１】遠赤外線照射セラミックスが放射する特性遠赤外線のスペクトルを示すグラフである。
【図１２】血中カテコールアミンの定量試験の結果を示すグラフである。
【図１３】血中白血球の分布を示す定量試験の結果を示すグラフである。
【図１４】移植外陰部癌の担癌マウスの写真である。
【図１５】図１４に示すマウスの癌計測値を示すグラフである。
【図１６】移植外陰部癌の組織像を示す光学顕微鏡写真である。
【図１７】移植外陰部癌のＭＭＰの遺伝子発現量計測値を示すグラフである。
【図１８】移植外陰部癌のＭＭＰ１、９群に対する免疫組織染色を示す写真である。
【図１９】移植外陰部癌のＭＭＰ１０、１３群に対する免疫組織染色を示す写真である。
【図２０】移植歯肉癌の担癌マウスの写真である。
【図２１】図２０に示すマウスの癌計測値を示すグラフである。
【図２２】二峰性の移植歯肉癌の転移抑制効果を示すグラフである。
【図２３】移植外陰部癌の組織像を示す光学顕微鏡写真である。
【符号の説明】
【００５１】
１…天井
２…壁
３…窓
４…床
５…暖房器具
６…ドア
【図１】
2007195759.tif 000003
【図２】
2007195759.tif 000004
【図３】
2007195759.tif 000005
【図４】
2007195759.tif 000006
【図５】
2007195759.tif 000007
【図６】
2007195759.tif 000008
【図７】
2007195759.tif 000009
【図８】
2007195759.tif 000010
【図９】
2007195759.tif 000011
【図１０】
2007195759.tif 000012
【図１１】
2007195759.tif 000013
【図１２】
2007195759.tif 000014
【図１３】
2007195759.tif 000015
【図１７】
2007195759.tif 000016
【図２２】
2007195759.tif 000017
【図１４】
2007195759.tif 000018
【図１５】
2007195759.tif 000019
【図１６】
2007195759.tif 000020
【図１８】
2007195759.tif 000021
【図１９】
2007195759.tif 000022
【図２０】
2007195759.tif 000023
【図２１】
2007195759.tif 000024
【図２３】
2007195759.tif 000025